(57)【要約】【課題】照明板の着脱作業の作業性を向上させることができるとともに、厚さを薄くすることができ、一般の乗客のいたずらによる照明板の脱落の防止を図ることができるエレベータのかご天井装置を得る。【解決手段】複数の照明板６は、各平行支持レール１２，１３間にスライド可能に支持されている。平行支持レール１３には、照明板配列レーン１５に予め設定された取り外し位置Ｐに照明板６があるときにのみ照明板６の突出部２２に照明板配列レーン１５の幅方向について対面する挿入穴４１が設けられている。取り外し位置Ｐでは、挿入穴４１に突出部２２を挿入させながら照明板配列レーン１５の幅方向へ照明板６をずらすことにより、照明板６を各平行支持レール１２，１３間から取り外し可能になっている。【選択図】図２
2013249187.tif 000002
【特許請求の範囲】
【請求項１】
互いに平行にかつ水平に配置された複数の平行支持レールを有し、各上記平行支持レール間に照明板配列レーンを形成している支持体、及び
各上記平行支持レール間にスライド可能に支持され、上記平行支持レールに沿って上記照明板配列レーンに並べられた複数の照明板
を備え、
各上記照明板は、上記照明板配列レーンに配置される照明板本体と、上記照明板本体から突出する突出部とを有し、上記突出部を上記照明板配列レーンの幅方向に沿った共通の方向に向けて並べられ、
各上記平行支持レールの少なくともいずれかには、上記照明板配列レーンに予め設定された取り外し位置に上記照明板があるときにのみ上記照明板の上記突出部に上記照明板配列レーンの幅方向について対面する挿入穴が設けられており、
上記取り外し位置では、上記挿入穴に上記突出部を挿入させながら上記照明板配列レーンの幅方向へ上記照明板をずらすことにより、上記照明板を各上記平行支持レール間から取り外し可能になっていることを特徴とするエレベータのかご天井装置。
【請求項２】
上記取り外し位置は、上記照明板配列レーンにおける各上記照明板の設置位置に対して上記平行支持レールの長さ方向へずれた位置とされ、
各上記照明板の設置位置の少なくともいずれかは、複数の上記照明板を重ねることが可能な重ね許容位置とされていることを特徴とする請求項１に記載のエレベータのかご天井装置。
【請求項３】
上記支持体には、複数の上記照明板配列レーンが隣接して設けられ、
上記取り外し位置は、各上記照明板配列レーンのいずれかに予め設定されており、
各上記照明板配列レーン間に位置する上記平行支持レールには、上記照明板が通過可能な連通孔が設けられていることを特徴とする請求項１又は請求項２に記載のエレベータのかご天井装置。
【請求項４】
共通の上記照明板本体からは、複数の上記突出部が突出しており、
上記平行支持レールには、上記取り外し位置にあるときの上記照明板の各上記突出部に個別に対面する複数の上記挿入穴が設けられていることを特徴とする請求項１〜請求項３のいずれか一項に記載のエレベータのかご天井装置。
【請求項５】
上記支持体には、互いに異なる複数の上記取り外し位置が予め設定されていることを特徴とする請求項１〜請求項４のいずれか一項に記載のエレベータのかご天井装置。
【請求項６】
各上記照明板は、複数のグループのいずれかに属し、
各上記照明板の上記突出部の断面形状は、上記複数のグループごとに異なっており、
複数の上記取り外し位置にそれぞれ対応する上記挿入穴の断面形状は、各上記グループに対応して互いに異なっており、
上記挿入穴には、対応する上記グループに属する上記照明板の上記突出部のみが挿入可能になっていることを特徴とする請求項５に記載のエレベータのかご天井装置。
【請求項７】
上記照明板本体には、上記照明板本体と別体とされた上記突出部が取り付けられていることを特徴とする請求項１〜請求項６のいずれか一項に記載のエレベータのかご天井装置。
【請求項８】
共通の上記照明板配列レーンに並べられた複数の上記照明板間の境界では、互いに隣り合う上記照明板のそれぞれの側部から突出する複数の凸部が上記照明板の厚さ方向について互いに重なっていることを特徴とする請求項１〜請求項７のいずれか一項に記載のエレベータのかご天井装置。
【発明の詳細な説明】
【技術分野】
【０００１】
この発明は、照明板を支持体で支持するエレベータのかご天井装置に関するものである。
【背景技術】
【０００２】
従来、かご天井の照明機器を下から覆って配光する複数の照明板の相互間に、照明板の周縁部を受け支えする支持部を突設させた目地を介在させて照明板を固定するようにしたエレベータのかごの照明板固定装置が知られている。例えば照明機器の取り替え等を行うために照明板をかご天井から取り外すときには、照明板の一端部をかご天井内に押し上げて照明板を斜めにすることにより支持部から照明板の他端部を外してから、照明板をかご天井から取り外す（例えば特許文献１参照）。
【先行技術文献】
【特許文献】
【０００３】
【特許文献１】特許第４５１５７８８号公報
【発明の概要】
【発明が解決しようとする課題】
【０００４】
しかし、かご天井に対して照明板を取り外すときに、照明板の一端部を押し上げて照明板を傾斜させる必要があるので、照明板を傾斜させたときに照明板が照明機器と干渉するおそれがある。また、かご天井に対して照明板を取り付けるときにも、同様に照明板を傾斜させるので、照明板が照明機器に干渉するおそれがある。従って、照明板が照明機器に接触しないように注意しながら、かご天井に対する照明板の着脱作業を行うこととなり、照明板の着脱作業の作業性が低下してしまう。
【０００５】
また、照明板と照明機器との接触を回避するためにかご天井の深さ（厚さ）を確保する必要があり、かご天井の薄型化を図ることができない。このため、照明板が全面に配置された全面照明タイプのかご天井では、厚さが通常の平天井よりも大きくなってしまう。このことから、例えば既設のかごの壁を利用して、通常の平天井から全面照明タイプのかご室天井にリニューアルしようとすると、かご室内の天井高さが低くなり、かご室内の乗客に圧迫感を与えてしまう。
【０００６】
この発明は、上記のような課題を解決するためになされたものであり、照明板の着脱作業の作業性を向上させることができるとともに、厚さを薄くすることができ、一般の乗客のいたずらによる照明板の脱落の防止を図ることができるエレベータのかご天井装置を得ることを目的とする。
【課題を解決するための手段】
【０００７】
この発明に係るエレベータのかご天井装置は、互いに平行にかつ水平に配置された複数の平行支持レールを有し、各平行支持レール間に照明板配列レーンを形成している支持体、及び各平行支持レール間にスライド可能に支持され、平行支持レールに沿って照明板配列レーンに並べられた複数の照明板を備え、各照明板は、照明板配列レーンに配置される照明板本体と、照明板本体から突出する突出部とを有し、突出部を照明板配列レーンの幅方向に沿った共通の方向に向けて並べられ、各平行支持レールの少なくともいずれかには、照明板配列レーンに予め設定された取り外し位置に照明板があるときにのみ照明板の突出部に照明板配列レーンの幅方向について対面する挿入穴が設けられており、取り外し位置では、挿入穴に突出部を挿入させながら照明板配列レーンの幅方向へ照明板をずらすことにより、照明板を各平行支持レール間から取り外し可能になっている。
【発明の効果】
【０００８】
この発明に係るエレベータのかご天井装置によれば、取り外し位置以外の位置では、照明板を支持体から取り外せないようにすることができる。従って、一般の乗客のいたずらによる照明板の脱落の防止を図ることができる。また、照明板を傾ける必要がなくなるので、かご天井装置の厚さを薄くすることができる。さらに、照明板の着脱作業の作業性を向上させることもできる。
【図面の簡単な説明】
【０００９】
【図１】この発明の実施の形態１によるエレベータのかご天井装置を示す構成図である。
【図２】図１のかご天井装置を下方から見たときの状態を示す正面図である。
【図３】図２の照明板を示す正面図である。
【図４】図２のIV-IV線に沿った断面図である。
【図５】図２のV-V線に沿った断面図である。
【図６】図２のVI-VI線に沿った断面図である。
【図７】図２のVII-VII線に沿った断面図である。
【図８】図７の重ね許容位置に２枚の照明板が重なっている状態を示す断面図である。
【図９】図２の照明板が照明板配列レーンをスライドして取り外し位置に達している状態を示す正面図である。
【図１０】この発明の実施の形態２によるエレベータのかご天井装置の照明板間の境界部分を示す要部断面図である。
【発明を実施するための形態】
【００１０】
実施の形態１．
図１は、この発明の実施の形態１によるエレベータのかご天井装置を示す構成図である。図において、エレベータのかごの上部に配置されたかご天井装置１は、かごの縦壁２の上端部に支持されている。また、かご天井装置１は、天蓋３と、天蓋３に支持され、天蓋３の下方に配置される複数の照明装置（光源）４と、天蓋３に設けられ、各照明装置４を避けて天蓋３の下方に配置される支持体５と、各照明装置４の下方に配置された状態で支持体５に支持され、各照明装置４からの光をかご内へ通す複数の照明板６とを有している。
【００１１】
天蓋３は、天蓋３の周縁部を縦壁２上に載せた状態で縦壁２に固定されている。各照明装置４は、天蓋３の周縁部を除くかご天井装置１のほぼ全面に互いに間隔を置いて並べられている。この例では、各照明装置４が蛍光灯とされている。
【００１２】
図２は、図１のかご天井装置１を下方から見たときの状態を示す正面図である。支持体５は、各照明装置４が配置された領域をまとめて囲む支持枠１１と、支持枠１１の内側で支持枠１１に水平に固定され、各照明装置４の高さ位置よりも低い位置に互いに平行に配置された複数（この例では、２本）の平行支持レールである目地部材１２とを有している。
【００１３】
支持枠１１は、図１に示すように、天蓋３の下面に固定されている。また、支持枠１１は、図１及び図２に示すように、各照明装置４が配置された領域を水平方向についてまとめて囲む矩形状の枠壁１６（図１）と、枠壁１６の下縁部に水平に固定され、目地部材１２と平行に配置された一対の平行支持レールである平行枠部材１３と、枠壁１６の下縁部に水平に固定され、各目地部材１２に垂直に配置された一対の垂直支持レールである垂直枠部材１４（図２）とを有している。
【００１４】
各目地部材１２は、図１に示すように、天蓋３に取り付けられた複数の吊り具２０によって天蓋３から吊られている。各平行枠部材１３及び各垂直枠部材１４は、各目地部材１２と同じ高さ位置に配置されている。また、図２に示すように、各目地部材１２及び各平行枠部材１３のそれぞれの一端部は一方の垂直枠部材１４に固定され、各目地部材１２及び各平行枠部材１３のそれぞれの他端部は他方の垂直枠部材１４に固定されている。
【００１５】
目地部材１２と平行枠部材１３との間、及び各目地部材１２間には、照明板６が並べられる領域である照明板配列レーン１５が各目地部材１２及び平行枠部材１３に沿ってそれぞれ形成されている。各照明板６は、目地部材１２と平行枠部材１３との間、及び各目地部材１２間のそれぞれに、目地部材１２及び平行枠部材１３に沿った方向へスライド可能に支持されている。各照明板６は、照明板配列レーン１５に目地部材１２及び平行枠部材１３に沿って並べられている。
【００１６】
この例では、図２に示すように、３本の照明板配列レーン１５が目地部材１２を介在させて隣接して設けられ、各照明板配列レーン１５に３枚の照明板６がそれぞれ並べられている。従って、この例では、合計９枚の照明板６が支持体５に設置されている。本実施の形態では、支持体５に設置された各照明板６を区別するために、図２に示すように、各照明板６の設置位置に対応する６Ａ〜６Ｉの符号を各照明板６に付することにより各照明板６を区別することとする。
【００１７】
ここで、図３は、図２の照明板６（照明板６Ａ〜６Ｉ）を示す正面図である。照明板６は、照明板配列レーン１５に配置された矩形状の平板である照明板本体２１と、照明板本体２１の側部から突出する複数（この例では、２つ）の突出部２２とを有している。照明板本体２１及び各突出部２２は、同一材料により一体に形成されている。共通の照明板本体２１から突出する複数の突出部２２は、照明板配列レーン１５の長さ方向（即ち、目地部材１２及び平行枠部材１３に沿った方向）について互いに離して設けられている。各照明板６は、図２に示すように、各突出部２２を、照明板配列レーン１５の幅方向（即ち、目地部材１２及び平行枠部材１３に対して垂直でかつ水平な方向）に沿った共通の方向に向けて照明板配列レーン１５に並べられている。各照明板６の大きさ及び形状は、すべて同一とされている。
【００１８】
図４は図２のIV-IV線に沿った断面図、図５は図２のV-V線に沿った断面図である。目地部材１２及び平行枠部材１３のそれぞれは、照明板６の端部を下から受ける受け部３１と、受け部３１の上方に配置され、受け部３１との間で隙間を介して照明板６の端部を挟むストッパ３２と、受け部３１とストッパ３２とを繋ぐ連結部３３とを有している。垂直枠部材１４は、平行枠部材１３と同様の構成とされている。受け部３１、ストッパ３２及び連結部３３は、目地部材１２、平行枠部材１３及び垂直枠部材１４ごとに長さ方向に沿って配置されている。
【００１９】
各照明板６は、目地部材１２、平行枠部材１３及び垂直枠部材１４のうち、複数の部材の受け部３１に端部が載せられた状態で支持体５に支持されている。ストッパ３２は、各照明板６の上方への変位を規制している。目地部材１２及び平行枠部材１３のそれぞれの連結部３３は、照明板配列レーン１５の幅方向への各照明板６の変位を規制し、垂直枠部材１４の連結部３３は、照明板配列レーン１５の長さ方向への照明板６の変位を規制する。支持体５からの各照明板６の脱落は、目地部材１２、平行枠部材１３及び垂直枠部材１４のそれぞれの受け部３１、ストッパ３２及び連結部３３による照明板６の変位の規制により防止されている。
【００２０】
平行枠部材１３及び垂直枠部材１４では、図４に示すように、連結部３３からみて支持枠１１の内側にのみ受け部３１及びストッパ３２が設けられている。
【００２１】
目地部材１２では、図５に示すように、目地部材１２の両側に配置された照明板６の端部を個別に下から受ける一対の受け部３１が互いに繋がっている。また、目地部材１２では、目地部材１２の両側に配置された照明板６の上方への変位を個別に規制する一対のストッパ３２も互いに繋がっている。目地部材１２の連結部３３は、互いに繋がった一対の受け部３１と、互いに繋がった一対のストッパ３２との間に介在している。目地部材１２の受け部３１とストッパ３２との間の隙間には、１枚の照明板６のみの挿入が許容され、複数枚の照明板６が重なった状態で挿入されることが阻止される。
【００２２】
図６は、図２のVI-VI線に沿った断面図である。各目地部材１２には、照明板６が通過可能な連通孔３５がそれぞれ設けられている。連通孔３５は、受け部３１とストッパ３２との間に連結部３３を存在させないことにより受け部３１とストッパ３２との間に形成されている。この例では、図２に示すように、照明板６Ａと照明板６Ｄとの間、及び照明板６Ｄと照明板６Ｇとの間のそれぞれに連通孔３５が設けられている。照明板６Ｂ、照明板６Ｅ及び照明板６Ｈのそれぞれの間と、照明板６Ｃ、照明板６Ｆ及び照明板６Ｉのそれぞれの間には、連結部３３が、各照明板配列レーン１５間を仕切る仕切り壁として存在している。
【００２３】
従って、例えば照明板６Ｄが無ければ、照明板６Ａや照明板６Ｇは、連通孔３５を通って照明板６Ｄの設置位置にスライドさせることができる。このとき、スライドされる照明板６Ａや照明板６Ｇは、目地部材１２及び垂直枠部材１４のそれぞれの受け部３１で支えられることにより、支持体５から脱落しないようになっている。
【００２４】
照明板６Ｉの設置位置は、複数（この例では、２枚）の照明板６を重ねることが可能な重ね許容位置とされている。
【００２５】
図７は、図２のVII-VII線に沿った断面図である。また、図８は、図７の重ね許容位置に２枚の照明板６Ｈ及び６Ｉが重なっている状態を示す断面図である。目地部材１２、平行枠部材１３及び垂直枠部材１４のうち、重ね許容位置に設置された照明板６Ｉを支持する部分では、受け部３１とストッパ３２との間に、複数（この例では、２枚）の照明板６が重なって挿入される隙間が設けられている。これにより、重ね許容位置（照明板６Ｉの設置位置）では、照明板６Ｉを持ち上げることが可能で、かつ持ち上げた照明板６Ｉの下に照明板６Ｈを挿入することが可能になっている。重ね許容位置で２枚の照明板６Ｈ及び６Ｉが重なることにより、例えば照明板６Ｇ（図２）が照明板配列レーン１５を目地部材１２及び平行枠部材１３に沿ってスライド可能になる。
【００２６】
各照明板配列レーン１５のいずれかには、照明板６が取り外し可能な取り外し位置Ｐが予め設定されている。この例では、図２に示すように、３本の照明板配列レーン１５のうち、照明板６Ｇ、６Ｈ、６Ｉが並べられた照明板配列レーン１５に、取り外し位置Ｐが設定されている。取り外し位置Ｐは、各照明板６の設置位置に対して目地部材１２及び平行枠部材１３の長さ方向へずれた位置とされている。
【００２７】
図９は、図２の照明板６Ｇが照明板配列レーン１５をスライドして取り外し位置Ｐに達している状態を示す正面図である。各平行枠部材１３のうち、一方の平行枠部材１３には、突出部２２が挿入可能な複数（この例では、２つ）の挿入穴４１が取り外し位置Ｐに対応させて設けられている。各挿入穴４１は、照明板６が取り外し位置Ｐにあるときにのみ、照明板６の各突出部２２に照明板配列レーン１５の幅方向について個別に対面する。取り外し位置Ｐでは、各挿入穴４１に各突出部２２を挿入させながら照明板配列レーン１５の幅方向へ照明板６をずらすことにより、照明板６を支持体５（目地部材１２と平行枠部材１３との間）から取り外し可能になっている。この例では、各挿入穴４１が平行枠部材１３の連結部３３を貫通する貫通孔となっている。
【００２８】
図９では、取り外し位置Ｐで突出部２２を挿入穴４１に挿入させながら照明板６Ｇが照明板配列レーン１５の幅方向へずらされることにより、照明板６Ｇが目地部材１２と平行枠部材１３との間から取り外されている。照明板６Ｇ以外の照明板６も、取り外し位置Ｐへスライドして順次取り外される。
【００２９】
次に、支持体５から照明板６を取り外すときの手順について説明する。各照明板６が各照明板配列レーン１５に並べられて支持体５に設置されている状態では、互いに隣り合う照明板６同士で干渉し合うことにより、各照明板配列レーン１５での各照明板６のスライドが阻止されている。また、取り外し位置Ｐが各照明板６の設置位置からずらして設定されているので、各照明板６が支持体５に設置されている状態では、すべての照明板６の突出部２２が挿入穴４１からずれた位置にあり、各照明板６を照明板配列レーン１５の幅方向へずらそうとしても各照明板６が支持体５から外れないようになっている。
【００３０】
支持体５から各照明板６を取り外すときには、まず、重ね許容位置にある照明板６Ｉを持ち上げた後、照明板６Ｉの下に照明板６Ｈをスライドさせ、照明板６Ｉと照明板６Ｈとを重ね許容位置で重ねる。これにより、照明板６Ｇに対する照明板６Ｈの干渉が解消し、照明板配列レーン１５での照明板６Ｇのスライドが可能になる（照明板重ね工程）。
【００３１】
この後、照明板配列レーン１５に予め設定された取り外し位置Ｐに照明板６Ｇをスライドさせる。これにより、照明板６Ｇの各突出部２２が各挿入穴４１に個別に対面する（スライド工程）。
【００３２】
この後、照明板６Ｇの各突出部２２を各挿入穴４１にそれぞれ挿入させながら、照明板配列レーン１５の幅方向へ照明板６Ｇをずらす。これにより、照明板６Ｇが支持体５から外れる（取り外し工程）。
【００３３】
この後、他の照明板６Ａ〜６Ｆ、６Ｈ及び６Ｉについても、上記のスライド工程と取り外し工程とを順次行い、取り外し位置Ｐで照明板６Ａ〜６Ｆ、６Ｈ及び６Ｉを順次取り外す。このようにして、すべての照明板６Ａ〜６Ｉを支持体５から取り外す。
【００３４】
各照明板６を支持体５に設置するときには、上記と逆の手順を行う。これにより、各照明板６が支持体５に設置される。
【００３５】
このようなエレベータのかご天井装置１では、各照明板６が、目地部材１２と平行枠部材１３との間、及び各目地部材１２間にスライド可能に支持され、照明板配列レーン１５に予め設定された取り外し位置Ｐに照明板６があるときにのみ、照明板６の突出部２２が、平行枠部材１３に設けられた挿入穴４１に対面するようになっており、取り外し位置Ｐでは、挿入穴４１に突出部２２を挿入させながら照明板配列レーン１５の幅方向へ照明板６をずらすことにより、照明板６を支持体５から取り外し可能になっているので、取り外し位置Ｐ以外の位置では、照明板６を支持体５から取り外せないようにすることができる。従って、照明板６の取り外し方法を知らない一般の乗客がいたずらで照明板６を支持体５から取り外そうとしても、照明板６を支持体５から取り外しにくくすることができ、一般の乗客のいたずらによる照明板６の脱落の防止を図ることができる。また、照明板６を支持体５から取り外すときに、照明板６を傾ける必要がなくなるので、照明板６を傾けたときのスペースを確保する必要がなくなり、かご天井装置１の厚さを薄くすることができる。さらに、作業中に照明板６が照明装置４に接触する可能性を低くすることもでき、照明板６の着脱作業の作業性を向上させることもできる。
【００３６】
また、取り外し位置Ｐは、各照明板６の設置位置に対して目地部材１２及び平行枠部材１３の長さ方向についてずれた位置とされ、照明板６Ｉの設置位置が、２枚の照明板６を重ねることが可能な重ね許容位置とされているので、すべての照明板６について、スライドさせなければ取り外せないようにすることができ、一般の乗客のいたずらに対する対策をさらに強化することができる。照明板６の取り外し方法を知っている保守員であれば、２枚の照明板６を重ね許容位置で重ねて、各照明板６を取り外し位置Ｐに順次スライドさせることにより、すべての照明板６を容易に取り外すことができる。
【００３７】
また、各照明板配列レーン１５間に位置する目地部材１２には、照明板６が通過可能な連通孔３５が設けられているので、各照明板配列レーン１５間で照明板６をスライド可能にすることができる。これにより、複数の照明板配列レーン１５が支持体５に設けられていても、すべての照明板６を取り外し位置Ｐに移動させて支持体５から取り外すことができる。
【００３８】
また、共通の照明板本体２１からは、複数（２つ）の突出部２２が突出しているので、照明板６が傾斜することを複数の突出部２２で抑制しながら、照明板６を安定してスライドさせることができる。また、取り外し位置Ｐで照明板６を着脱するときにも、複数箇所で突出部２２が挿入穴４１に挿入されるので、照明板６を安定させることができ、支持体５に対する照明板６の着脱作業をさらに確実にかつ容易にすることができる。
【００３９】
実施の形態２．
図１０は、この発明の実施の形態２によるエレベータのかご天井装置の照明板６間の境界部分を示す要部断面図である。実施の形態２では、共通の照明板配列レーン１５に並べられた複数の照明板６のうち、互いに隣り合う照明板６間の境界部分の構成が実施の形態１と異なるだけで、その他の構成は実施の形態１と同様である。図１０では、照明板６Ｂ及び照明板６Ｃ間の境界部分を示している。共通の照明板配列レーン１５に並べられた他の照明板６間の境界部分の構成も、照明板６Ｂ及び照明板６Ｃ間の境界部分の構成と同様である。
【００４０】
共通の照明板配列レーン１５に並べられた複数の照明板６間の境界では、互いに隣り合う照明板６のそれぞれの側部から、照明板６の厚さ方向について互いにずらして突出する複数（この例では、２つ）の凸部５１が照明板６の厚さ方向について互いに重なっている。凸部５１の厚さは、照明板本体２１の厚さよりも薄くなっている。
【００４１】
この例では、照明板本体２１及び凸部５１により段差が形成されている。各照明板６間の境界では、一方の照明板６の凸部５１が他方の照明板６の段差に嵌ることにより、凸部５１同士が重なっている。
【００４２】
このようなエレベータのかご天井装置１では、互いに隣り合う照明板６のそれぞれの側部から突出する凸部５１が、各照明板６間の境界で互いに重なっているので、各照明板６間の隙間から光が漏れることを防止することができる。これにより、かご天井装置１の意匠性の向上を図ることができる。
【００４３】
なお、上記の例では、照明板本体２１及び凸部５１により段差が形成され、一方の照明板６の凸部５１が他方の照明板６の段差に嵌るようになっているが、凸部５１が重なる構成はこれに限定されない。例えば、一方の照明板６の側部から２つの凸部を突出させて凹部を形成するとともに、他方の照明板本体２１の側部から凹部に嵌る凸部を突出させ、一方の照明板６の凹部に他方の照明板６の凸部を嵌めることにより、３つの凸部同士を重ねるようにしてもよい。
【００４４】
また、各上記実施の形態では、挿入穴４１が連結部３３を貫通する貫通孔とされているが、突出部２２が挿入されることにより照明板６が支持体５から外れるのであれば、挿入穴４１は連結部３３を貫通していなくてもよい。
【００４５】
また、各上記実施の形態では、図５に示すように、共通の目地部材１２に含まれる一対の受け部３１が互いに繋がり、一対のストッパ３２も互いに繋がっているが、一対の受け部３１が互いに分離され、一対のストッパ３２も互いに分離されていてもよい。この場合、各受け部３１は、各受け部３１のそれぞれから上方へ延びる一対の連結部３３が吊り具２０に直接的又は間接的に取り付けられることにより保持される。また、各ストッパ３２は、吊り具２０に直接的又は間接的に取り付けられることにより保持される。
【００４６】
また、各上記実施の形態では、３本の照明板配列レーン１５に３枚の照明板６がそれぞれ並べられて、合計９枚の照明板６が支持体５に設置されるが、照明板配列レーン１５の数や、照明板配列レーン１５に並べられる照明板６の数は、これに限定されない。例えば、４本の照明板配列レーン１５に４枚の照明板６をそれぞれ並べて、合計１６枚の照明板６を支持体５に設置するようにしてもよい。この場合、目地部材１２の数は、照明板配列レーン１５の数の変更に応じて変更される。
【００４７】
また、各上記実施の形態では、共通の照明板６に含まれる突出部２２の数が２つとされているが、これに限定されず、例えば共通の照明板６に含まれる突出部２２の数を１つとしてもよいし、３つ以上としてもよい。
【００４８】
また、突出部２２の断面形状も、どのような形状であってもよい。例えば、矩形や円形、楕円等を突出部２２の断面形状としてもよい。この場合、挿入穴４１の断面形状は、突出部２２の断面形状に合わせて決定される。
【００４９】
また、各上記実施の形態では、共通の照明板６における照明板本体２１及び各突出部２２が同一材料により一体に形成されているが、照明板本体２１と各突出部２２とを別体として作製し、各突出部２２を照明板本体２１に取り付けることにより照明板６を作製してもよい。例えば、ガラス製の照明板本体２１に金属製（例えば鉄製等）のアタッチメントを突出部２２として取り付けることにより、照明板６を作製するようにしてもよい。
【００５０】
また、各上記実施の形態では、支持体５に１つの取り外し位置Ｐのみが設定されているが、互いに異なる複数の取り外し位置Ｐを支持体５に設定してもよい。即ち、複数の取り外し位置Ｐを支持体５に設定する場合、複数の取り外し位置Ｐを互いに異なる複数の照明板配列レーン１５に分けて設定してもよいし、複数の取り外し位置Ｐを共通の照明板配列レーン１５に設定してもよい。例えば図２の照明板６Ａ、６Ｂ、６Ｃが並べられた照明板配列レーン１５や、図２の照明板６Ｄ、６Ｅ、６Ｆが並べられた照明板配列レーン１５に、取り外し位置Ｐを設定する場合には、目地部材１２の連結部３３に挿入穴４１が設けられる。
【００５１】
また、支持体５に複数の取り外し位置Ｐを設定する場合、突出部２２の断面形状を互いに異ならせることにより各照明板６を複数のグループに分け（即ち、突出部２２の断面形状が互いに異なる複数のグループのいずれかに各照明板６が属するようにし）、複数の取り外し位置Ｐにそれぞれ対応する挿入穴４１の断面形状を各グループに対応させて互いに異ならせるようにしてもよい。これにより、挿入穴４１には、対応するグループに属する照明板６の突出部２２のみが挿入可能になり、他のグループに属する照明板６の突出部２２の挿入が阻止される。このようにすれば、対応する突出部２２と挿入穴４１との組み合わせでないと照明板６を取り外すことができないようにすることができ、一般の乗客のいたずらによる照明板６の脱落の防止をさらに図ることができる。
【００５２】
また、支持体５に複数の取り外し位置Ｐを設定する場合、照明板配列レーン１５の幅方向に沿った突出部２２の突出方向を互いに異ならせることにより各照明板６を２種類のグループに分け（即ち、照明板配列レーン１５の幅方向に沿った突出部２２の突出方向が互いに異なる２種類のグループのいずれかに各照明板６が属するようにし）、複数の取り外し位置Ｐにそれぞれ対応する挿入穴４１の位置を、各グループの突出部２２の突出方向に対応させて設定するようにしてもよい。この場合、突出部２２の断面形状は、各グループに対応させて互いに異ならせてもよいし、各グループに関係なくすべて同一にしてもよい。これにより、挿入穴４１には、対応するグループに属する照明板６の突出部２２のみが挿入可能になり、他のグループに属する照明板６の突出部２２の挿入が阻止される。このようにすれば、各グループに対応する取り外し位置Ｐでなければ照明板６を取り外すことができないようにすることができ、一般の乗客のいたずらによる照明板６の脱落の防止をさらに図ることができる。
さらに、この場合、目地部材１２に設けられた挿入穴４１を貫通孔とすることにより、各グループに対応する取り外し位置Ｐを目地部材１２の両側に設定するようにしてもよい。このようにすれば、目地部材１２の両側に設定されたそれぞれの取り外し位置Ｐに対応する挿入穴４１を共通化することができる。
【００５３】
また、各上記実施の形態では、照明板６Ａと照明板６Ｄとの間、及び照明板６Ｄと照明板６Ｇとの間の２箇所に連通孔３５が設けられているが、連通孔３５の位置はこれに限定されない。例えば、照明板６Ｃと照明板６Ｆとの間、及び照明板６Ｄと照明板６Ｇとの間の２箇所に連通孔３５を設けてもよいし、照明板６Ａと照明板６Ｄとの間、照明板６Ｃと照明板６Ｆとの間、照明板６Ｄと照明板６Ｇとの間、及び照明板６Ｆと照明板６Ｉとの間の４箇所に連通孔３５を設けてもよい。
【００５４】
また、各上記実施の形態では、取り外し位置Ｐが、目地部材１２及び平行枠部材１３の長さ方向について各照明板６の設置位置に対してずれた位置とされているが、各照明板６の設置位置のいずれかの位置に取り外し位置Ｐを設定してもよい。このようにすれば、複数の照明板６を重ねることが可能な重ね許容位置を設定する必要がなくなるとともに、支持体５に対して照明板６を着脱するときの照明板重ね工程をなくすことができる。従って、支持体５の構成の簡素化を図ることができるとともに、照明板６の着脱作業をさらに容易にすることができる。
【００５５】
また、各上記実施の形態では、複数の照明板６を重ねることが可能な重ね許容位置が照明板６Ｉの１箇所となっているが、重ね許容位置を２箇所以上に設定してもよい。さらに、重ね許容位置では、３枚以上の照明板６を重ねることが可能となっていてもよい。
【符号の説明】
【００５６】
１  かご天井装置、５  支持体、６  照明板、１２  目地部材（平行支持レール）、１３  平行枠部材（平行支持レール）、１５  照明板配列レーン、２１  照明板本体、２２  突出部、３５  連通孔、４１  挿入穴、５１  凸部。
【図１】
2013249187.tif 000003
【図２】
2013249187.tif 000004
【図３】
2013249187.tif 000005
【図４】
2013249187.tif 000006
【図５】
2013249187.tif 000007
【図６】
2013249187.tif 000008
【図７】
2013249187.tif 000009
【図８】
2013249187.tif 000010
【図９】
2013249187.tif 000011
【図１０】
2013249187.tif 000012